(57)【要約】【課題】樹脂成形金型へ供給する冷却水の可動側の給水ホースを固定側の冷却水供給管に接続する装置を簡単な構造によりワンタッチ操作で接合、分離可能にした樹脂成形金型冷却水配管の接続装置を提供する。【解決手段】固定側プレート１の裏面に冷却水の供給管２とロックレバー８によってクサビ形状のフォーク９をロック及びアンロック作動するロック装置とを備え、表面に供給管２と連通した雌側接合部３を備えた固定側部材２０と、可動側プレート１０の裏面に樹脂成形金型に接続された給水ホース１１を備え、表面に雌側接合部３に接合する雄側接合部１２と固定側プレート１を貫通してロック装置によりロック及びアンロックする位置決めピン１４とを備えた可動側部材３０とによって構成した。【選択図】        図１
2004291539.tif 000002
【特許請求の範囲】
【請求項１】
冷却水を供給する固定側部材と、前記固定側部材に着脱可能に接合され前記冷却水を樹脂成形金型に給水する可動側部材とからなり、
前記固定側部材は、固定側プレートの裏面に結合された冷却水の供給管と前記可動側部材を固定側部材にロック及びアンロックするロック装置とを備え、表面には前記吸水管と連通する雌側接合部を備えており、
前記可動側部材は、可動側プレートの裏面に結合された樹脂成形金型への給水ホースを備え、表面には前記固定側プレートの雌側接合部に接合する雄側接合部と前記固定側プレートを貫通して前記ロック装置により位置決めロックされる位置決めピンとを備えており、
前記ロック装置は、下端に前記位置決めピンに嵌脱するクサビ形状のフォークを備え前記固定側プレートの裏面に上下方向にスライド可能に保持されたシャフトと、一端が固定側プレートに上下方向に回動可能に取り付けられ、この取り付け点より離間した部位に前記シャフトの上端部を結合したロックレバーとから構成されていることを特徴とする樹脂成形金型冷却水配管の接続装置。
【発明の詳細な説明】
【０００１】
【発明の属する技術分野】
本発明は、例えば樹脂成形金型の冷却水配管の接続装置に関するものである。
【０００２】
【従来の技術】
【特許文献１】特開平６−２５７６９５
【０００３】
特許文献１は主機と補機との間を結ぶ複数の流体導管、電気配線を着脱可能に接続するために、二枚１組のコネクタ取付基板にコネクタを装着し、前記二枚１組のコネクタ取付基板の板面を突き合わせて、一方のコネクタ取付基板の周柄縁に起倒可能に取り付けた複数の鈎形のクランパを他方のコネクタ取付基板の周縁に掛け止めして二枚１組のコネクタ取付基板をクランプし、二枚１組のコネクタ取付基板のそれぞれに装着されているコネクタ同士を接続するようにした構造である。
【０００４】
【発明が解決しようとする課題】
上記特許文献１では複数の流体導管、電気配線コネクタをワンタッチ操作で一括接続できると記載されているが、クランプするための鈎形のクランパは複数個配置されており、クランプには鈎形のクランパの個数だけの回数を必要としワンタッチ操作とは言えない。また、鈎形のクランパで二枚１組のコネクタ取付基板をクランプしても、鈎形のクランパのクランプ力は一定であり、強力にクランプされることに難点がある。
【０００５】
本発明の目的は、樹脂成形金型へ供給する冷却水の可動側の給水ホースを固定側の冷却水供給管に接続する装置を簡単な構造によりワンタッチ操作で接合、分離可能にした樹脂成形金型冷却水配管の接続装置を提供することである。
【０００６】
【課題を解決するための手段】
上記の目的を達成するための本発明は、請求項１に記載したとおり、冷却水を供給する固定側部材と、前記固定側部材に着脱可能に接合され前記冷却水を樹脂成形金型に給水する可動側部材とからなり、前記固定側部材は、固定側プレートの裏面に結合された冷却水の供給管と前記可動側部材を固定側部材にロック及びアンロックするロック装置とを備え、表面には前記吸水管と連通する雌側接合部を備えており、前記可動側部材は、可動側プレートの裏面に結合された樹脂成形金型への給水ホースを備え、表面には前記固定側プレートの雌側接合部に接合する雄側接合部と前記固定側プレートを貫通して前記ロック装置により位置決めロックされる位置決めピンとを備えており、前記ロック装置は、下端に前記位置決めピンに嵌脱するクサビ形状のフォークを備え前記固定側プレートの裏面に上下方向にスライド可能に保持されたシャフトと、一端が固定側プレートに上下方向に回動可能に取り付けられ、この取り付け点より離間した部位に前記シャフトの上端部を結合したロックレバーとから構成されていることを特徴とするものである。
【０００７】
【発明の実施の形態】
以下本発明の実施の形態を図面に基づいて説明する。本発明装置は冷却水を供給する固定側部材２０と、前記固定側部材２０に着脱可能に接合され前記冷却水を樹脂成形金型に給水する可動側部材３０とから構成されている。
【０００８】
前記固定側部材２０の構造について図１、図２及び図３によって説明する。１は固定側プレートである。この固定側プレート１の裏面（図１、図３において右側の立面）には複数本（単数本でも可）の冷却水の供給管２が結合されている。また、前記可動側部材３０を固定側部材２０にロック及びアンロックするロック装置が設けられている。
【０００９】
前記ロック装置は、下端に後述する位置決めピン１４に嵌脱するクサビ形状のフォーク９を備え保持部材６により上下方向にスライド可能に保持されたシャフト７と、一端がピン１６によって固定側プレート１に上下方向に回動可能に取り付けられ、この取り付け点より離間した部位にピン１７によって前記シャフト７の上端部を結合したロックレバー８とからなる構造である。
【００１０】
前記固定側プレート１の表面（図１、図３において左側の立面）には前記供給管２と連通した雌側接合部３と後述する位置決めピン１４を貫通させるための貫通穴５とを備えている。前記雌側接合部３は皿穴状であり、その底部にはＯリング４が挿入されている。
【００１１】
前記可動側部材３０の構造について図１及び図４によって説明する。１０は可動側プレートである。この可動側プレート１０の裏面（図１、図４において左側の立面）には樹脂成形金型に接続された複数本（単数本でも可）の給水ホース１が結合されている。
【００１２】
また、可動側プレート１０の表面（図１、図４において右側の立面）には前記給水ホースに連通した雄側接続部１２を備えている。この雄側接続部１２は前記雌側接続部３に密接合されるものであり、前記雌側接続部３の皿穴に対応する凸形状である。
【００１３】
さらに、可動側プレート１０の表面には、この表面と直交する軸線の位置決めピン１４が突設されている。この位置決めピン１４は前記固定側プレート１に開設されている貫通穴５に挿入して貫通されるものであり。その先端には前記貫通穴５の貫通を許容する大径の頭部１５が形成されている。また、可動側プレート１０の裏面には前記位置決めピン１４と同軸線で把持用のハンドル１３が固着されている。
【００１４】
次に、上記の構造による本発明装置の接続操作について説明する。固定側部材２０に対し可動側部材３０を分離している場合、固定側部材２０は図３で、可動側部材３０は図４で示す通りである。すなわち、固定側部材２０のロックレバー８は図２で示すように、上方Ａに回動しフォーク９はシャフト７を介して持ち上げたアンロック状態となっている。
【００１５】
上記の状態で可動側部材３０は固定側部材２０に接合して供給管２と給水ホース１１とを接続する。それには、作業者がハンドル１３を把持して位置決めピン１４を固定側プレート１に開設されている貫通穴５に挿入して貫通させ、雄側接合部１２を雌側接合部３に接合する。これで、供給管２と給水ホース１１とは連通した状態になるが、可動側部材３０を固定側部材２０にロックし、雄側接合部１２と雌側接合部３との接合部からの水漏れを防止した状態にしなくてはならない。
【００１６】
そこで、ロックレバー８を図２で示す下方Ｂに回動することによりクサビ形状のフォーク９はシャフト７を介して下降し位置決めピン１４に嵌合し図５で示すようにフォーク９は位置決めピン１４の先端の頭部１５に当接してクサビ作用により引き出し量Ｇで位置決めピン１４を引き出し、可動側プレート１０を固定側プレート１に強く引き付けて図１で示すようにロックする。この可動側プレート１０の引き付け力はロックレバー８のテコ作用とフォーク９のクサビ作用によりロックレバー８の小さな操作力で大きく得られ、雄側接合部１２はＯリング４に圧接してシール効果を向上し該部からの水漏れを確実の防止する。
【００１７】
可動側部材３０を固定側部材２０から分離する場合は、前記と逆の操作を行うことにより供給管２と給水ホース１１との接続を簡単な操作で分離する。
【００１８】
【発明の効果】
以上のように本発明によると、冷却水供給管と樹脂成形金型への給水ホースとの接続及び分離をロックレバーによるワンタッチ操作で行うことができ、作業性の向上、作業者の労力負担の軽減及び作業時間の短縮が図られ、その上、ロックレバーによるクサビ形状のフォークにより位置決めピンを介して可動側プレートを固定側プレートに強力に引き付けで雄側接合部を雌側接合部のＯリングに密接するため水漏れを確実に防止した状態で接合することができ、構造も簡単で安価に提供することができる利点を有している。
【図面の簡単な説明】
【図１】本発明装置の側面図
【図２】図１のＣ矢視図
【図３】固定側部材の側面図
【図４】可動側部材の側面図
【図５】可動側部材を固定側部材に接合する過程の側面図
【符号の説明】
１      固定側プレート
２      供給管
３      雌側接合部
４      Ｏリング
５      貫通穴
６      保持部材
７      シャフト
８      ロックレバー
９      フォーク
１０      可動側プレート
１１      給水ホース
１２      雄側接合部
１３      ハンドル
１４      位置決めピン
１５      頭部
１６      ピン
１７      ピン
２０      固定側部材
３０      可動側部材
【図１】
2004291539.tif 000003
【図２】
2004291539.tif 000004
【図３】
2004291539.tif 000005
【図４】
2004291539.tif 000006
【図５】
2004291539.tif 000007